(57)【要約】  本発明の実施例は、サービス伝送方法を提供し、前記方法に複数の無線アクセス技術が採用され、端末は複数の無線アクセス技術のネットワーク能力を受信することと、前記端末は前記ネットワーク能力に基づいて、前記複数の無線アクセス技術から、前記端末のサービスのために、少なくとも二つの無線アクセス技術を選択することと、前記端末は、前記少なくとも二つの無線アクセス技術を用いて前記サービスの伝送を行うこととを含む。本発明の実施例において、端末によってサービスのために少なくとも二つの無線アクセス技術を選択し、ユーザの手動設定を避けることができ、それによって、複数の無線アクセス技術の性能と便利性を向上させることができる。
2018519740.tif 000002
【特許請求の範囲】
【請求項１】
サービス伝送方法であって、前記方法は複数の無線アクセス技術を利用し、
端末は、複数の無線アクセス技術のネットワーク能力を受信することと、
前記端末は、前記ネットワーク能力に基づいて、前記複数の無線アクセス技術から、前記端末のサービスのために、少なくとも二つの無線アクセス技術を選択することと、
前記端末は、前記少なくとも二つの無線アクセス技術を用いて前記サービスの伝送を行うことと、
を含むことを特徴とする、前記サービス伝送方法。
【請求項２】
前記複数の無線アクセス技術は、ネットワーク装置により送信されたものであり、
前記複数の無線アクセス技術のネットワーク能力を受信することは、
前記ネットワーク装置により送信されたブロードキャストメッセージを受信することを含み、
前記ブロードキャストメッセージは、前記複数の無線アクセス技術のネットワーク能力を含む、
ことを特徴とする請求項１に記載のサービス伝送方法。
【請求項３】
前記複数の無線アクセス技術のネットワーク能力を受信することは、
各無線アクセス技術の基地局がブロードキャストして送信された、対応する無線アクセス技術のネットワーク能力を受信すること、
を含むことを特徴とする請求項１に記載のサービス伝送方法。
【請求項４】
前記ネットワーク能力に基づいて、前記複数の無線アクセス技術から、前記端末のサービスのために、少なくとも二つの無線アクセス技術を選択することは、
前記ネットワーク能力、前記サービスのサービス要求、前記端末の特性、及び前記端末が位置するネットワーク条件のうちの少なくとも一つに基づいて、前記サービスのために少なくとも二つの無線アクセス技術を選択すること、
を含むことを特徴とする請求項１乃至３のいずれか１項に記載のサービス伝送方法。
【請求項５】
前記端末が移動状態にある場合、前記ネットワーク能力に基づいて、前記複数の無線アクセス技術から前記端末のサービスのために、少なくとも二つの無線アクセス技術を選択することは、
前記ネットワーク能力、前記サービスのサービス要求、前記端末の特性、前記端末が位置するネットワーク条件、及び前記ネットワーク条件の変化状態のうちの少なくとも一つに基づいて、前記サービスために、少なくとも二つの無線アクセス技術を選択すること、
を含むことを特徴とする請求項１乃至３のいずれか１項に記載のサービス伝送方法。
【請求項６】
前記ネットワーク条件は、
前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、及び前記端末の前記複数の無線アクセス技術における伝送能力のうちの少なくもと一つを含む、
ことを特徴とする請求項４又は５に記載のサービス伝送方法。
【請求項７】
前記サービス要求は
前記サービスのデータ量、前記サービスのサービスタイプ、前記サービスの信頼性要件、前記サービスのリアルタイム性要件のうちの少なくとも一つを含む、
ことを特徴とする請求項４乃至６のいずれか１項に記載のサービス伝送方法。
【請求項８】
前記端末の特性は、
前記端末の中央処理ユニット（ＣＰＵ）の占用率、前記端末のメモリーの占用率、前記端末の電池消耗速度、前記端末の電池残量、前記端末の温度、及びユーザ設定のうちの少なくとも一つを含む、
ことを特徴とする請求項４乃至７のいずれか１項に記載のサービス伝送方法。
【請求項９】
前記ネットワーク能力に基づいて、前記複数の無線アクセス技術から前記端末のサービスのために、少なくとも二つの無線アクセス技術を選択することは、
前記複数の無線アクセス技術のパワー消耗の速度を統計することと、
前記ネットワーク能力と前記パワー消耗の速度に基づいて、前記複数の無線アクセス技術から、前記少なくとも二つの無線アクセス技術を選択することと、
を含むことを特徴とする請求項１乃至３のいずれか１項に記載のサービス伝送方法。
【請求項１０】
前記パワー消耗の速度は、
無線周波数と中間周波数とのパワー消耗の速度、及びデジタル信号処理のパワー消耗の速度を含む、
ことを特徴とする請求項９に記載のサービス伝送方法。
【請求項１１】
前記少なくとも二つの無線アクセス技術を用いて、前記サービスの伝送を行う前に、
前記少なくとも二つの無線アクセス技術のために、接続を確立すること、
または、
前記少なくとも二つの基地局が接続を確立するように、端末は、前記少なくとも二つの無線アクセス技術と対応する少なくとも二つの基地局に確立要求メッセージを送信すること、
を含むことを特徴とする請求項１乃至１０のいずれか１項に記載のサービス伝送方法。
【請求項１２】
前記少なくとも二つの無線アクセス技術を用いて、前記サービスの伝送を行う前に、
前記少なくとも二つの無線アクセス技術ために、適切な送信／受信周波数、送信／受信時間、及び送信パワーをそれぞれ選択すること、
をさらに含むことを特徴とする請求項１乃至１１のいずれか１項に記載のサービス伝送方法。
【請求項１３】
前記少なくとも二つの無線アクセス技術を用いて、前記サービスの伝送を行うことは、
ダイバーシティモード及び／又はアグリゲーションモードを用いて、前記少なくとも二つの無線アクセス技術を用いて、前記サービスの伝送を行うことを含み、
前記ダイバーシティモードは、前記少なくとも二つの無線アクセス技術内の異なる無線アクセス技術で同様の内容を伝送することを指しており、前記アグリゲーションモードは、前記少なくとも二つの無線アクセス技術内の異なる無線アクセス技術で異なる内容を伝送することを指している、
ことを特徴とする請求項１乃至１２のいずれか１項に記載のサービス伝送方法。
【請求項１４】
前記ネットワーク能力は、
ピークレート、遅延時間、カバレージ範囲、システムローディング、及び平均スループットのうちの少なくとも一つを含む、
ことを特徴とする請求項１乃至１３のいずれか１項に記載のサービス伝送方法。
【請求項１５】
前記サービス伝送が完了してから、前記少なくとも二つの無線アクセス技術のために接続を切断すること、
をさらに含むことを特徴とする請求項１乃至１４のいずれか１項に記載のサービス伝送方法。
【請求項１６】
サービス伝送のための方法であって、
ネットワーク装置は、複数の無線アクセス技術のネットワーク能力を取得することと、
前記端末が前記ネットワーク能力に基づいてサービスのために少なくとも二つの無線アクセス技術を選択するように、前記ネットワーク装置は、前記複数の無線アクセス技術のネットワーク能力を端末に送信することと、
を含むことを特徴とする前記サービス伝送のための方法。
【請求項１７】
前記複数の無線アクセス技術のネットワーク能力を取得することは、
前記複数の無線アクセス技術の基地局から、対応する無線アクセス技術のネットワーク能力を取得すること、
を含むことを特徴とする請求項１６に記載のサービス伝送のための方法。
【請求項１８】
前記複数の無線アクセス技術のネットワーク能力を端末に送信することは、
ブロードキャスト及び／又はシグナリングによって、前記ネットワーク能力を前記端末に送信すること、
を含むことを特徴とする請求項１６又は１７に記載のサービス伝送のための方法。
【請求項１９】
前記ネットワーク能力は、
ピークレート、遅延時間、カバレージ範囲、システムローディング及び平均スループットのうちの少なくとも一つを含む、
ことを特徴とする請求項１６乃至１８のいずれか１項に記載のサービス伝送のための方法。
【請求項２０】
端末であって、
前記端末は、複数の無線アクセス技術を用いて通信を行い、
複数の無線アクセス技術のネットワーク能力を受信するように構成される受信ユニットと、
前記受信ユニットの受信された前記ネットワーク能力に基づいて、前記複数の無線アクセス技術から、前記端末のサービスのために、少なくとも二つの無線アクセス技術を選択するように構成される選択ユニットと、
前記選択ユニットの選択された前記少なくとも二つの無線アクセス技術を用いて、前記サービスの伝送を行うように構成される伝送ユニットと、
を含むことを特徴とする前記端末。
【請求項２１】
前記複数の無線アクセス技術は、ネットワーク装置から送信されるものであり、
受信ユニットは、具体的に、前記ネットワーク装置より送信されたブロードキャストメッセージを受信するように構成され、
前記ブロードキャストメッセージは、前記複数の無線アクセス技術のネットワーク能力を含む、
ことを特徴とする請求項２０に記載の端末。
【請求項２２】
前記受信ユニットは、具体的に、二つ以上の無線アクセス技術の基地局が、ブロードキャスト又はシグナリングを介して送信された、対応する無線アクセス技術のネットワーク能力を受信するように構成される、
ことを特徴とする請求項２０に記載の端末。
【請求項２３】
前記選択ユニットは、具体的に、前記ネットワーク能力、前記サービスのサービス要求、前記端末の特性、及び前記端末が位置するネットワーク条件のうちの少なくとも一つに基づいて、前記サービスのために、少なくとも二つの無線アクセス技術を選択するように構成される、
ことを特徴とする請求項２０乃至２２のいずれか１項に記載の端末。
【請求項２４】
前記端末が移動状態にある場合、選択ユニットは、具体的に、前記ネットワーク能力、前記サービスのサービス要求、前記端末の特性、前記端末が位置するネットワーク条件、及び前記ネットワーク条件の変化状態のうちの少なくとも一つに基づいて、前記サービスのために、少なくとも二つの無線アクセス技術を選択するように構成される、
ことを特徴とする請求項２０乃至２２のいずれか１項に記載の端末。
【請求項２５】
前記ネットワーク条件は、
前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、前記端末の前記複数の無線アクセス技術における伝送能力のうちの少なくとも一つを含む、
ことを特徴とする請求項２３又は２４に記載の端末。
【請求項２６】
前記サービス要求は、
前記サービスのデータ量、前記サービスのサービスタイプ、前記サービスの信頼性要件、前記サービスのリアルタイム性要件のうちの少なくとも一つを含む、
ことを特徴とする請求項２３乃至２５のいずれか１項に記載の端末。
【請求項２７】
前記端末の特性は、
前記端末の中央処理ユニット（ＣＰＵ）の占用率、前記端末のメモリーの占用率、前記端末の電池消耗速度、前記端末の電池残量、前記端末の温度、及びユーザ設定のうちの少なくとも一つを含む、
ことを特徴とする請求項２３乃至２６のいずれか１項に記載の端末。
【請求項２８】
前記選択ユニットは、具体的に、
前記複数の無線アクセス技術のパワー消耗の速度を統計し、
前記ネットワーク能力と前記パワー消耗の速度に基づいて、前記複数の無線アクセス技術から、前記少なくとも二つの無線アクセス技術を選択するように構成される、
ことを特徴とする請求項２０乃至２２のいずれか１項に記載の端末。
【請求項２９】
前記パワー消耗の速度は、
無線周波数と中間周波数とのパワー消耗の速度、及びデジタル信号処理のパワー消耗の速度を含む、
ことを特徴とする請求項２８に記載の端末。
【請求項３０】
前記伝送ユニットはさらに、前記少なくとも二つの無線アクセス技術のために接続を確立するように構成され、
又は、
前記伝送ユニットはさらに、少なくとも二つの基局が接続を確立するように、前記少なくとも二つの無線アクセス技術と対応する前記少なくとも二つの基地局に確立要求メッセージを送信するように構成される、
ことを特徴とする請求項２０乃至２９のいずれか１項に記載の端末。
【請求項３１】
前記選択ユニットはさらに、前記少なくとも二つの無線アクセス技術のために、適切な送信／受信周波数、送信／受信時間、及び送信パワーをそれぞれ選択するように構成される、
ことを特徴とする請求項２０乃至３０のいずれか１項に記載の端末。
【請求項３２】
前記伝送ユニットは、具体的に、ダイバーシティモード及び／又はアグリゲーションモードを用いて、前記少なくとも二つの無線アクセス技術を用いて、前記サービスの伝送を行うように構成され、
ここで、前記ダイバーシティモードは、前記少なくとも二つの無線アクセス技術内の異なる無線アクセス技術で同様の内容を伝送することを指しており、前記アグリゲーションモードは、前記少なくとも二つの無線アクセス技術内の異なる無線アクセス技術で異なる内容を伝送することを指している、
ことを特徴とする請求項２０乃至３１のいずれか１項に記載の端末。
【請求項３３】
前記ネットワーク能力は、ピークレート、遅延時間、カバレージ範囲、システムローディング、及び平均スループットのうちの少なくとも一つを含む、
ことを特徴とする請求項２０乃至３２のいずれか１項に記載の端末。
【請求項３４】
前記サービス伝送の完了後に、前記少なくとも二つの無線アクセス技術のために、接続を切断するように構成される切断ユニットをさらに含む、
ことを特徴とする請求項２０乃至３３のいずれか１項に記載の端末。
【請求項３５】
ネットワーク装置であって、
複数の無線アクセス技術のネットワーク能力を取得するように構成される取得ユニットと、
前記端末が前記ネットワーク能力に基づいてサービスのために少なくとも二つの無線アクセス技術を選択するように、前記取得ユニットの取得された前記複数の無線アクセス技術のネットワーク能力を端末に送信するように構成される送信ユニットと、
を含むことを特徴とする前記ネットワーク装置。
【請求項３６】
前記取得ユニットは、具体的に、前記複数の無線アクセス技術の基地局から、対応する無線アクセス技術のネットワーク能力を取得するように構成される、
ことを特徴とする請求項３５に記載の前記ネットワーク装置。
【請求項３７】
前記送信ユニットは、具体的に、ブロードキャスト及び／又はシグナリングによって、前記ネットワーク能力を前記端末に送信するように構成される、
ことを特徴とする請求項３５又は３６に記載の前記ネットワーク装置。
【請求項３８】
前記ネットワーク能力は、ピークレート、遅延時間、カバレージ範囲、システムローディング、及び平均スループットのうちの少なくとも一つを含む、
ことを特徴とする請求項３５乃至３７のいずれか１項に記載の前記ネットワーク装置。
【発明の詳細な説明】
【関連出願の参照】
【０００１】
本発明は、２０１５年７月１４日に出願された発明名称が「サービス伝送方法、端末及びネットワーク装置」で、出願番号が２０１５１０４１３５２９．０である先行出願の優先権を主張し、上記の先の出願の内容は参照として本願に組み込まれる。
【技術分野】
【０００２】
本発明は通信分野に関し、特にサービス伝送方法、端末、及びネットワーク装置に関する。
【背景技術】
【０００３】
次世代移動通信システム（５Ｇと通称する）は、なおさらサービス品質を向上させるようになるであろう。データレートを高めるような通常のニーズ以外に、サービスの連続性を保証すること、及び様々な環境における異なるサービスの品質要求を満たすことは、ユーザを中心とするネットワーク（ｕｓｅｒ−ｃｅｎｔｒｉｃ  ｎｅｔｗｏｒｋ）への進化における重要要求になっている。次世帯移動通信システムにより提供されるサービス要求が様々であるため、単一の無線技術は、合理なコストの前提ですべての要求を満たすことは困難であり、異なる無線技術の有効な組み合わせは、より実現可能な選択肢になってくる。
【０００４】
従来技術の条件において、異なる無線技術の間の連携を欠如しており、通常、ユーザは手動の設定によって異なる無線アクセスネットワークを選択するしかなく、例えば、手動でＷＩＦＩネットワークを選択し、又はＷＩＦＩのスイッチを起動することで、性能と便利性上に対して大きな欠点が存在する。
【発明の概要】
【０００５】
本発明の実施例はサービス伝送方法を提供し、該方法は複数の無線アクセス技術を利用して、複数の無線アクセス技術の性能と便利性を向上させることができる。
【０００６】
第１様態において、サービス伝送方法を提供し、前記方法は、複数の無線アクセス技術を利用し、
端末は複数の無線アクセス技術のネットワーク能力を受信することと、
前記端末は、前記ネットワーク能力に基づいて、前記複数の無線アクセス技術から、前記端末のサービスのために、少なくとも二つの無線アクセス技術を選択することと、
前記端末は、前記少なくとも二つの無線アクセス技術を用いて前記サービスの伝送を行うことと、
を含む。
【０００７】
第２様態において、サービス伝送のための方法を提供し、
ネットワーク装置は、複数の無線アクセス技術のネットワーク能力を取得することと、
前記端末が前記ネットワーク能力に基づいてサービスのために少なくとも二つの無線アクセス技術を選択するように、前記ネットワーク装置は、前記複数の無線アクセス技術のネットワーク能力を端末に送信することと、
を含む。
【０００８】
第３様態において、端末を提供し、前記端末は、複数の無線アクセス技術を利用して通信を行い、
複数の無線アクセス技術のネットワーク能力を受信するように構成される受信ユニットと、
前記受信ユニットの受信された前記ネットワーク能力に基づいて、前記複数の無線アクセス技術から、前記端末のサービスのために、少なくとも二つの無線アクセス技術を選択するように構成される選択ユニットと、
前記選択ユニットの選択された前記少なくとも二つの無線アクセス技術を用いて、前記サービスの伝送を行うように構成される伝送ユニットと、
を含む。
【０００９】
第４様態において、ネットワーク装置を提供し、
複数の無線アクセス技術のネットワーク能力を取得するように構成される取得ユニットと、
前記端末が前記ネットワーク能力に基づいてサービスのために少なくとも二つの無線アクセス技術を選択するように、前記取得ユニットの取得された前記複数の無線アクセス技術のネットワーク能力を端末に送信するように構成される送信ユニットと、
を含む。
【００１０】
本発明の実施例において、端末によってサービスのために少なくとも二つの無線アクセス技術を選択し、ユーザの手動設定を避けることができ、それによって、複数の無線アクセス技術の性能と便利性を向上させることができる。
【図面の簡単な説明】
【００１１】
【図１】本発明の一つの実施例におけるサービス伝送方法のフローチャートである。
【図２】本発明における一つの場面を示す図である。
【図３】本発明の他の一つの実施例におけるサービス伝送方法のフローチャートである。
【図４】本発明の他の一つの実施例におけるサービス伝送のための方法のフローチャートである。
【図５】本発明の一つの実施例における端末の構成のブロック図である。
【図６】本発明の他の一つの実施例における端末の構成のブロック図である。
【図７】本発明の一つの実施例におけるネットワーク装置の構成のブロック図である。
【図８】本発明の他の一つの実施例におけるネットワーク装置の構成のブロック図である。
【発明を実施するための形態】
【００１２】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００１３】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００１４】
なお、本発明の実施例における無線アクセス技術は無線技術と呼ばれても良く、通常４Ｇと呼ばれる長期進化型（ＬＴＥ：Ｌｏｎｇ  Ｔｅｒｍ  Ｅｖｏｌｕｔｉｏｎ）、無線ローカルエリアネットワーク（ＷＬＡＮ：Ｗｉｒｅｌｅｓｓ  ＬＡＮ）、将来の５Ｇなどを含むが、本発明はそれらに限らない。
【００１５】
なお、本発明の実施例における端末は移動端末であってもよく、セルラー電話、パーソナルデジタルアシスタント（ＰＤＡ：Ｐｅｒｓｏｎａｌ  Ｄｉｇｉｔａｌ  Ａｓｓｉｓｔａｎｔ）、将来の５Ｇネットワークにおける端末装置などを含むが、本発明はそれらに限らない。
【００１６】
また、本発明の実施例におけるネットワーク装置は、複数の基地局を集中的に管理及び制御するための基地局コントローラ又は基地局サーバであっても良く、複数の基地局と相互通信するための移動管理エンティティ（ＭＭＥ：Ｍｏｂｉｌｉｔｙ  Ｍａｎａｇｅｍｅｎｔ  Ｅｎｔｉｔｙ）などであっても良く、本発明はそれらに限らない。
【００１７】
なお、本発明の実施例における端末とネットワーク装置は両方とも複数の無線アクセス技術をサポートする。また、複数の無線アクセス技術は、同じソフトウェアとハードウェアとのリソースを独立、又は共有して使用することができ、ここのソフトウェアとハードウェアとのリソースは、アンテナ、ＲＦモジュール、ベースバンドモジュール、プロセッサ、記憶システム、ユーザインタフェースなどを含むことが可能である。同じソフトウェアとハードウェアとのリソースを共有して使用する場合、複数の無線アクセス技術は、同じソフトウェアとハードウェアとのリソースを独立、又は同時に使用することが可能である。
【００１８】
図１は、本発明の一つの実施例におけるサービス伝送方法のフローチャートである。図１に端末１１とネットワーク装置１２を示している。図１に示されている方法は、Ｓ１０１〜Ｓ１０５を含む。
【００１９】
Ｓ１０１において、ネットワーク装置１２は、複数の無線アクセス技術のネットワーク能力を取得する。
【００２０】
具体的に、ネットワーク装置１２は、複数の無線アクセス技術の複数の基地局からネットワーク能力を取得することが可能である。
【００２１】
例えば、複数の無線アクセス技術のうちの無線アクセス技術ＲＡＴ１については、ネットワーク装置１２は、無線アクセス技術ＲＡＴ１の複数の基地局から、無線アクセス技術ＲＡＴ１のネットワーク能力を取得することが可能である。
【００２２】
本発明の実施例において、ネットワーク能力は、ピークレート、遅延時間、カバレージ範囲、システムローディング及び平均スループットなどの一つ又は複数を含むことが可能である。
【００２３】
ここで、カバレージ範囲は、基地局の送信信号の強さと品質とに関係がある可能であり、基地局の受信感度にも関係がある可能性がある。例えば、受信可能な基地局ＢＳ１の送信信号の強さが一つの固定値より大きいエリアを基地局ＢＳ１のカバレージ範囲とすることができる。ここで、ピークレート、遅延時間（伝送遅延とも称される）及び平均スループットは、伝送能力と総称することが可能である。ここで、システムローディングはネットワークローディングとも称しても良い。本発明は、それについて限定しない。
【００２４】
また、ネットワーク能力は、サポートされているサービスタイプ（ＴｏＳ：Ｔｙｐｅ  ｏｆ  Ｓｅｒｖｉｃｅ）を含むことが可能である。通常、サービスタイプは、リアルタイムサービス、又は非リアルタイムサービスであっても良い。例えば、リアルタイムサービスは、二人と複数人との音声／ビデオ通信及び会議、インタラクティブオンラインゲーム、スマート交通などであっても良い。非リアルタイムサービスは、ファイル伝送、ビデオ鑑賞などであっても良い。
【００２５】
Ｓ１０２において、ネットワーク装置１２は、複数の無線アクセス技術のネットワーク能力を端末１１に送信する。
【００２６】
具体的に、ネットワーク装置１２は、ブロードキャストメッセージを送信しても良く、ブロードキャストメッセージは、複数の無線アクセス技術のネットワーク能力を含む。言い換えれば、ネットワーク装置１２は、ブロードキャスティングによって、複数の無線アクセス技術のネットワーク能力を送信することが可能である。
【００２７】
ここの複数の無線アクセス技術は、ネットワーク装置１２の所在しているエリア内のすべての無線アクセス技術であっても良い。
【００２８】
そのため、Ｓ１０２において、ネットワーク装置１２が所在しているエリア内の各無線アクセス技術のネットワーク能力をブロードキャスティングする。
【００２９】
選択肢として、ネットワーク装置１２は、一つのブロードキャストメッセージにおいて、複数の無線アクセス技術のネットワーク能力を送信することが可能であり、例えば、単独なシグナリング搬送周波数において送信することが可能である。又は、ネットワーク装置１２は、複数のブロードキャストメッセージにおいて、複数の無線アクセス技術のネットワーク能力をそれぞれ送信することが可能である。
【００３０】
選択肢とする一つの実施例として、図１内のＳ１０１とＳ１０２は、下記のステップＳ１０１’（図１に図示されていない）によって代わりに実現することが可能である。
【００３１】
Ｓ１０１’において、複数の無線アクセス技術に対応する複数の基地局は、各自の無線アクセス技術のネットワーク能力を端末１１にそれぞれ送信する。
【００３２】
例を挙げて説明すると、ブロードキャスティングによってネットワーク能力を送信することが可能である。
【００３３】
例えば、複数の無線アクセス技術内の無線アクセス技術ＲＡＴ２を例として、無線アクセス技術ＲＡＴ２の複数の基地局は、無線アクセス技術ＲＡＴ２のネットワーク能力をブロードキャストして送信する。
【００３４】
例えば、ネットワーク装置１２（例えば基地局コントローラー、又は基地局サーバ又はＭＭＥ）は、複数の基地局をそれぞれ送信するように指示しても良い。言い換えれば、複数の基地局がブロードキャストメッセージをそれぞれ送信しても良く、各基地局の送信されたブロードキャストメッセージは、対応する無線アクセス技術のネットワーク能力を含む。
【００３５】
また、隣接エリアのブロードキャストメッセージは、時間又は周波数又は時間周波数二次元分布において分けることが可能であり、このように、エリア境界にある端末は、複数のエリアのブロードキャストメッセージを受信することが可能である。
【００３６】
このように、Ｓ１０１とＳ１０２の後に、又はＳ１０１’の後に、端末１１は、複数の無線アクセス技術のネットワーク能力を受信してから、端末１１の周辺におけるネットワークのサポートする無線アクセス技術のタイプなどの情報を知ることが可能である。
【００３７】
Ｓ１０３において、端末１１は、前記複数の無線アクセス技術から、前記端末１１のサービスのために、少なくとも二つの無線アクセス技術を選択する。
【００３８】
具体的に、端末１１は、受信された前記複数の無線アクセス技術のネットワーク能力に基づいて、前記複数の無線アクセス技術から少なくとも二つの無線アクセス技術を選択することが可能である。
【００３９】
このサービスは、端末１１において起動しようとするサービスであっても良く、即ち、Ｓ１０３は、端末１１がサービスを行おうとする時に実行されても良い。
【００４０】
なお、端末１１は複数のサービスを含むことが可能であり、その場合、端末１１は、各々のサービスのために、Ｓ１０３の選択プロセスをそれぞれ実施することになる。
【００４１】
具体的に、端末１１は、ネットワーク能力、サービスのサービス要求、端末１１の特性、及び端末１１が位置するネットワーク条件に基づいて、少なくとも二つの無線アクセス技術を選択することが可能である。
【００４２】
例えば、端末１１は、音声及び／又はビデオ通信サービス、及び中断されたくないインタラクティブオンラインゲームサービスのために、連続カバレージ及び良い移動性を備えるセルラーネットワーク（２Ｇ、３Ｇ、ＬＴＥ等）を選択することが可能である。端末１１が高速のＷＬＡＮアクセスポイントのカバレージ範囲内にある場合、例えばビデオ再生、ファイルアップロードとダウンロードのようなデータ量の大きいデータ伝送タイプサービスのために、高速ＷＬＡＮを選択することが可能である。端末１１が移動するによって高速ＷＬＡＮのカバレージ範囲から離れた場合、端末１１が再度高速ＷＬＡＮのカバレージ範囲に入るまでに、前記データ量の大きいデータ伝送タイプサービスを一時中止することができる。
【００４３】
端末１１が非静止状態にある場合、即ち、端末１１が移動状態にある場合、端末１１は、ネットワーク能力の変化も参照して、少なくとも二つの無線アクセス技術を選択する。言い換えれば、端末１１が移動状態である場合、端末１１は、ネットワーク能力、サービスのサービス要求、端末１１の特性、端末１１が位置するネットワーク条件、及びネットワーク条件の変化状態に基づいて、少なくとも二つの無線アクセス技術を選択することが可能である。
【００４４】
ここで、サービスのサービス要求は、サービスのデータ量、サービスのサービスタイプ、サービスの信頼性要件、サービスのリアルタイム性要件、サービスのサービス品質（ＱｏＳ：Ｑｕａｌｉｔｙ  ｏｆ  Ｓｅｒｖｉｃｅ）要件などのうちの一つと又は複数を含むことが可能である。ここのサービスタイプは、音声、ビデオ、ダウンロード、オンラインゲーム、オンラインナビゲーション、閲覧、リアルタイムメッセージなどあっても良い。
【００４５】
ここで、端末１１の特性は、端末の中央処理ユニット（ＣＰＵ  ：Ｃｅｎｔｒａｌ  Ｐｒｏｃｅｓｓｉｎｇ  Ｕｎｉｔ）の占用率、メモリーの占用率、電池消耗速度、電池残量、端末の温度、およびユーザ設定等のうちの一つ又は複数を含むことが可能である。
【００４６】
なお、端末１１はプロセッサとメモリー等を含み、プロセッサはＣＰＵであっても良い。占用率はパーセンテージで表現しても良く、例えば、ＣＰＵの占用率は１％であっても良く、メモリーの占用率は１２％等々であっても良い。電池残量はパーセンテージで表現しても良く、例えば、電池残量は５０％であっても良い。電池の消耗速度は、単位時間毎の消耗電力のパーセンテージで表現しても良く、例えば、電池の消耗速度は１０％／ｈであっても良く、ｈは時間を表す。端末の温度は、ＣＰＵの温度で表現しても良い。ユーザ設定は、ユーザの予め設定された（手動設定であっても良い）ものであってもよく、サービス伝送時に使用される無線アクセス技術の数の上限であっても良く、例えば、ユーザ設定は、高性能モード又は省エネモード等であっても良く、又は、ユーザ設定は、サービスＡに使用されるＲＡＴの数の上限が４であるとなっても良い。
【００４７】
ここで、端末１１が位置するネットワーク条件は、端末１１の受信可能な複数の無線アクセス技術の基地局の送信信号の強さと品質、端末１１の備えている複数の無線アクセス技術の最大送信パワーとアンテナ利得、端末１１の備えている複数の無線アクセス技術の受信感度、端末１１の前記複数の無線アクセス技術における伝送能力などのうちの一つ又は複数を含むことが可能である。
【００４８】
ここで、端末の複数の無線アクセス技術における伝送能力は、ピークレート、平均スループット、伝送遅延などを含むことが可能である。
【００４９】
ここで、端末１１が非静止状態にある場合、端末１１が位置するネットワーク条件の変化は、端末１１とターゲット装置との間の距離変化、及び／又は端末１１の移動速度と関係する。
【００５０】
そのため、Ｓ１０３の前に、端末１１は、端末１１が位置するネットワーク条件を計算し、選択肢として、該端末１１が位置するネットワーク条件をネットワーク装置１２に知らせることを含むことが可能である。
【００５１】
具体的に、端末１１は、ネットワーク装置１２から端末１１の位置情報を取得し、該位置情報に基づいてネットワーク条件を計算することが可能である。
【００５２】
例えば、ネットワーク装置１２は、複数の無線アクセス技術と対応する複数の基地局の位置を予めに記憶し、又は随時に取得することが可能である。複数の基地局は、端末１１と複数の基地局との間の距離を計算し、該距離情報をネットワーク装置１２に送信することが可能である。
【００５３】
そして、ネットワーク装置１２は、複数の無線アクセス技術と対応する複数の基地局から端末１１と前記複数の基地局との間の距離情報を取得してから、該距離情報と複数の基地局の位置に基づいて、協同測位を行うことが可能であり、それによって、端末の位置情報を確定する。
【００５４】
例を挙げて説明すると、端末１１／ネットワーク装置１２は、複数の基地局より送信された距離情報を統合し、該端末１１の位置の正確な結果を得ることが可能である。
【００５５】
一方、端末１１が非静止状態にあり、即ち、端末１１が移動状態にある場合、Ｓ１０３の前に、端末１１は、端末１１自分の移動速度を記録し、該移動速度をネットワーク装置１２に知らせること、又はネットワーク装置１２は、端末１１の移動速度を能動に検知することをさらに含むことが可能である。その後、ネットワーク装置１２は、端末１１の位置情報及び該移動速度に基づいて、カバレージ地図などの情報を利用して、端末１１の可能な移動軌跡を推定し、さらに該可能な移行軌跡に基づいて端末１１を知らせることが可能である。
【００５６】
例を挙げて説明すると、図２に示すように、端末１１、ネットワーク装置１２、及び複数の無線アクセス技術（仮に三つの無線アクセス技術である）の基地局２１〜２６を示している。それによって、端末１１は、Ｓ１０２においてネットワーク装置１２から受信されたネットワーク能力、又はＳ１０１’において複数の基地局から受信されたネットワーク能力に基づいて、端末１１の移動状況を参照し、複数の無線アクセス技術のネットワーク能力の変化状況を判断し、例えば、各無線アクセス技術の基地局の送信信号の変化状況を判断し、それによって少なくとも二つの無線アクセス技術を選択する。
【００５７】
例えば、端末１１の受信された第１無線アクセス技術の各基地局の送信信号の強さが全て予め設定されている第１信号閾値より大きい場合、端末１１は該第１無線アクセス技術を選択することが可能である。端末１１の受信された第２無線アクセス技術の基地局の送信信号が、予め設定されている第２信号閾値より小さいが、端末１１は、該端末１１が該第２無線アクセス技術のある基地局に近接していると判断した場合、端末１１は該第２無線アクセス技術を選択することも可能である。
【００５８】
なお、ここで、第１信号閾値は、第１無線アクセス技術の属性と関係あり、第２信号閾値は、第２無線アクセス技術の属性と関係ある。
【００５９】
また、一つの実施例として、端末１１は、前記複数の無線アクセス技術のパワー消耗の速度を統計し、さらにネットワーク能力とパワー消耗の速度に基づいて、前記複数の無線アクセス技術から、前記少なくとも二つの無線アクセス技術を選択することが可能である。
【００６０】
具体的に、端末１１は、ネットワーク能力とパワー消耗の速度に基づいて、上記に記載されている端末の特性、端末が位置するネットワーク条件、サービス要求などを結合して、サービスのために少なくとも二つの無線アクセス技術を選択することが可能である。
【００６１】
ここで、前記パワー消耗の速度は、無線周波数と中間周波数とのパワー消耗の速度、及びデジタル信号処理のパワー消耗の速度を含むことが可能である。パワー消耗の速度は、単位ビットのパワー消耗量、例えばａジュール／ｂｉｔで表現することが可能である。ここで、無線周波数と中間周波数との装置は、例えば電力増幅器、濾波器、ミクサー、発振器、無線周波数中間周波数スイッチなどである。デジタル信号処理の装置は、例えば計算ユニット、記憶ユニット、入力出力（Ｉ／Ｏ：Ｉｎｐｕｔ／Ｏｕｔｐｕｔ）ユニットなどである。
【００６２】
なお、本発明の実施例において、Ｓ１０３における端末１１の少なくとも二つの無線アクセス技術の選択方式について限定しない。
【００６３】
Ｓ１０４において、少なくとも二つの無線アクセス技術のために接続を確立する。
【００６４】
選択肢として、Ｓ１０３の後に、端末１１は、自主的に前記少なくとも二つの無線アクセス技術のために接続を確立し、接続を確立した後に、少なくとも二つの無線アクセス技術に対応する少なくとも二つの基地局に知らせる。
【００６５】
選択肢として、Ｓ１０３の後に、端末１１は、少なくとも二つの無線アクセス技術と対応する少なくとも二つの基地局に確立要求メッセージを送信し、前記少なくとも二つの基地局接続を確立するようにする。
【００６６】
言い換えれば、Ｓ１０４における接続のプロセスは、端末１１より自主的に送信して行われても良く、端末１１より基地局に知らせてから、基地局が実行されても良く、本発明は、それについて限定しない。
【００６７】
なお、接続してから、端末１１とネットワーク装置１２とは、少なくとも二つの無線アクセス技術内の各無線アクセス技術のために、適切の送信／受信周波数、送信／受信時間、及び送信パワーを選択することが可能であり、異なる無線アクセス技術の間の相互干渉を避けるようにする。
【００６８】
Ｓ１０５において、端末１１は、前記少なくとも二つの無線アクセス技術を用いて、前記サービスの伝送を行う。
【００６９】
具体的に、端末１１は、ダイバーシティモード及び／又はアグリゲーションモードを用いて、前記少なくとも二つの無線アクセス技術を用いて、前記サービスの伝送を行う。
【００７０】
ここで、ダイバーシティ（ｄｉｖｅｒｓｉｔｙ）モードは、異なる無線アクセス技術で同様の内容を伝送することを指しており、例えば、データパケットＤ１は、第１無線アクセス技術と第２無線アクセス技術でそれぞれ伝送され、即ち、データパケットＤ１が第１無線アクセス技術と第２無線アクセス技術とによって、ダイバーシティモードを利用し伝送されることを意味する。このようにサービス伝送信頼性を向上させることができる。
【００７１】
アグリゲーション（ａｇｇｒｅｇａｔｉｏｎ）モードは、異なる無線アクセス技術で異なる内容を伝送することを指しており、例えば、第１無線アクセス技術でデータパケットＤ１を伝送し、第２無線アクセス技術でデータパケットＤ２を伝送し、即ち、第１無線アクセス技術と第２無線アクセス技術は、アグリゲーションモードを利用して伝送する。このようにサービス伝送の速度を高めることができる。
【００７２】
ダイバーシティモードとアグリゲーションモードとの混合モードを用いることは、サービスの一部のデータパケットを幾つかの無線アクセス技術を利用して、ダイバーシティモードで伝送することを指しており、サービスのあるデータパケットは、複数の無線アクセス技術によってアグリゲーションモードを利用してそれぞれ伝送する。例えば、仮に第１無線アクセス技術でデータパケットＤ１とデータパケットＤ２を伝送し、第２無線アクセス技術でデータパケットＤ１を伝送し、第３無線アクセス技術でデータパケットＤ３を伝送するとした場合、データパケットＤ１は、第１無線アクセス技術と第２無線アクセス技術でダイバーシティモードを利用して伝送され、且つ第１無線アクセス技術と第３無線アクセス技術でアグリゲーションモードを利用してデータパケットＤ２とデータパケットＤ３をそれぞれ伝送することを意味している。
【００７３】
Ｓ１０５のサービス伝送のプロセスにおいて、端末１１は、随時に各パラメータの変化状況を監視制御し、変化状況に応じて複数の無線アクセス技術を調整することが可能である。このように、サービスの伝送品質と伝送効率を保証することができる。
【００７４】
一例として、端末１１の電池残量が電池閾値（例えば１０％）より低く、又は電池消耗速度が速度閾値（例えば３０％／ｈ）より高い場合、この時、端末１１は、低エネルギー消費の無線アクセス技術に切り替えて使用し、又は端末１１は、使用されている無線アクセス技術の数を減少することが可能である。言い換えれば、少なくとも二つの無線アクセス技術内の高エネルギー消費の無線アクセス技術に対して、端末１１は、接続を切断し、少なくとも二つの無線アクセス技術内の低エネルギー消費の無線アクセス技術だけを使用してサービス伝送を行うことが可能であり、又は、低エネルギー消費の無線アクセス技術を再選択して接続を確立することができ、サービス伝送を行うようにする。
【００７５】
Ｓ１０５におけるサービス伝送のプロセスにおいて、端末１１は、随時に（定時的に又は周期的に）前記少なくとも二つの無線アクセス技術の状態を検知することができる。一例として、端末１１の移動などにより、少なくとも二つの無線アクセス技術内の一つ又は幾つかの無線アクセス技術の信号の強さ又は品質が悪化される場合、接続を切断する操作を行うことが可能である。
【００７６】
例を挙げて説明すると、端末１１の移動によって、端末１１の受信された第１無線アクセス技術の全ての基地局の信号の強さが、予め設定されている第１閾値より低い場合、該第１無線アクセス技術の接続を切断する。ここで、端末１１が主動的に接続を切断しても良く、端末１１は、第１無線アクセス技術の基地局に切断要求メッセージを送信してから、第１無線アクセス技術の基地局によって接続を切断しても良い。
【００７７】
なお、本発明の実施例において、ネットワークカバレージが存する場合、端末１１は、アクティブなサービスのために、随時に一つ以上の使用可能な無線アクセス技術を維持すべきである。
【００７８】
例を挙げて説明すると、Ｓ１０５におけるサービス伝送のプロセスにおいて、Ｎ種の無線アクセス技術内の一つ又は幾つかの無線アクセス技術が切断されたことによって、サービス伝送の無線アクセス技術の数が予め設定されている閾値（例えば３とする）より少なくなった場合、サービス伝送のプロセスにおいて、端末１１は、アクティブなサービスのために、Ｓ１０３とＳ１０４のプロセスを継続的に実施することが可能である。
【００７９】
具体的に、サービス伝送のプロセスにおいて、無線アクセス技術を再選択する場合、上記のＳ１０３に記載されているもの以外に、端末１１は、該サービスの伝送プロセス中の変化状況も考慮する必要がある。例えば、該変化状況は、端末１１と該サービスのターゲット装置との間の距離の変化状況、該サービスの残りデータ量などを含むことが可能である。
【００８０】
選択肢として、本発明の実施例において、全ての無線アクセスが該サービスのサービス品質要件に満たすことができない場合、端末１１は、ユーザにアラーム情報を送信することが可能であり、例えば、端末１１のユーザインターフェースに特定のエラーコードを表示し、該アラーム情報に基づいて、サービス終了又はサービスのサービス品質要件を下げるようにユーザに選択させるようにする。
【００８１】
又は、全て無線アクセスのアクセスが該サービスのサービス品質要件に満たすことができない場合、端末１１は、該サービスを中止し、ユーザにエラー情報を送信することが可能であり、例えば、端末１１のユーザインターフェースに特定の情報を表示し、ユーザは該サービスが既に終了していることを知るようにする。このように、ユーザは、後続のネットワーク状態が良くなった場合、該サービスの伝送を再度に試みることが可能である。
【００８２】
選択肢として、本発明の実施例において、Ｓ１０５の後に、サービス伝送が完了してから、端末１１は、前記少なくとも二つの無線アクセス技術に対して接続を切断することが可能である。
【００８３】
なお、本発明の実施例における伝送されるサービスは、データサービスだけではなく、制御シグナリング等であっても良い。
【００８４】
このように、本発明の実施例において、端末１１によってサービスのために、少なくとも二つの無線アクセス技術を選択することが可能であり、ユーザの手動設定を避けることができ、それによって、複数の無線アクセス技術の性能と便利性を向上させることができる。また、サービス伝送のプロセスにおいて、端末１１は、少なくとも二つの無線アクセス技術の状態を検知することが可能であり、サービスの伝送を保証することが可能である。
【００８５】
図３は、本発明の他の実施例におけるサービス伝送方法のフローチャートである。図３に示されている方法は、Ｓ２０１〜Ｓ２０３を含む。
【００８６】
Ｓ２０１において、端末は、複数の無線アクセス技術のネットワーク能力を受信する。
【００８７】
Ｓ２０２において、端末は、前記ネットワーク能力に基づいて、前記複数の無線アクセス技術から、前記端末のサービスのために、少なくとも二つの無線アクセス技術を選択する。
【００８８】
Ｓ２０３において、端末は、前記少なくとも二つの無線アクセス技術を用いて、前記サービスの伝送を行う。
【００８９】
本発明の実施例において、端末によってサービスのために少なくとも二つの無線アクセス技術を選択し、ユーザの手動設定を避けることができ、それによって、複数の無線アクセス技術の性能と便利性を向上させることができる。
【００９０】
選択肢として、前記複数の無線アクセス技術は、ネットワーク装置から送信されるものであっても良く、Ｓ２０１は、前記ネットワーク装置から送信されたブロードキャストメッセージを受信することを含むことが可能であり、前記ブロードキャストメッセージは、前記複数の無線アクセス技術のネットワーク能力を含むことが可能である。
【００９１】
又は、Ｓ２０１は、各々の無線アクセス技術の基地局からブロードキャストして送信された、対応する無線アクセス技術のネットワーク能力を受信することを含むことが可能である。
【００９２】
ここで、前記ネットワーク能力は、ピークレート、遅延時間、カバレージ範囲、システムローディング及び平均スループットのうちの少なくとも一つを含むことが可能である。
【００９３】
図３におけるＳ２０１は、図１の実施例内のＳ１０２又はＳ１０１’の記載を参照すれば良く、重複を避けるために、ここでそれ以上を説明しない。
【００９４】
選択肢として、Ｓ２０２は、前記ネットワーク能力、前記サービスのサービス要求、前記端末の特性、及び前記端末が位置するネットワーク条件のうちの少なくとも一つに基づいて、前記サービスのために、少なくとも二つの無線アクセス技術を選択することを含むことが可能である。
【００９５】
ここで、端末が位置するネットワーク条件は、端末により計算されたものであっても良い。例えば、Ｓ２０２の前に、端末は、前記ネットワーク装置から端末の位置情報を取得することが可能であり、端末は、該位置情報に基づいて、前記ネットワーク条件を計算する。
【００９６】
選択肢として、前記端末が移動状態にある場合、Ｓ２０２は、前記ネットワーク能力、前記サービスのサービス要求、前記端末の特性、前記端末が位置するネットワーク条件、及び前記ネットワーク条件の変化状態のうちの少なくとも一つに基づいて、前記サービスために、少なくとも二つの無線アクセス技術を選択することを含むことが可能である。
【００９７】
ここで、端末が位置するネットワーク条件、及び前記ネットワーク条件の変化状態は、端末により計算されたものであっても良く。例えば、Ｓ２０２の前に、端末は、前記ネットワーク装置から端末の位置情報と位置情報の予想ルートを取得することが可能であり、そして端末は、位置情報及び位置情報の変化に基づいて、前記ネットワーク条件を計算して、前記ネットワーク条件の変化状態を推定する。
【００９８】
ここで、前記ネットワーク条件は、前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、及び前記端末の前記複数の無線アクセス技術における伝送能力のうちの少なくとも一つを含むことが可能である。
【００９９】
ここで、前記サービス要求は前記サービスのデータ量、前記サービスのサービスタイプ、前記サービスの信頼性要件、前記サービスのリアルタイム性要件、前記サービスのサービス品質要件のうちの少なくとも一つを含むことが可能である。
【０１００】
ここで、前記端末の特性は、前記端末の中央処理ユニットＣＰＵの占用率、前記端末のメモリーの占用率、前記端末の電池消耗速度、前記端末の電池残量、前記端末の温度、及びユーザ設定のうちの少なくとも一つを含むことが可能である。
【０１０１】
選択肢として、Ｓ２０２は、前記複数の無線アクセス技術のパワー消耗の速度を統計することと、前記ネットワーク能力と前記パワー消耗の速度に基づいて、前記複数の無線アクセス技術から、前記少なくとも二つの無線アクセス技術を選択することと、を含むことが可能である。ここで、前記パワー消耗の速度は、無線周波数と中間周波数とのパワー消耗の速度、及びデジタル信号処理のパワー消耗の速度を含む。
【０１０２】
図３におけるＳ２０２については、図１の実施例内のＳ１０３に関する記載を参照することが可能であり、重複を避けるために、ここでそれ以上を説明しない。
【０１０３】
Ｓ２０３の前に、前記少なくとも二つの無線アクセス技術のために接続を確立することを含むことが可能である。例えば、端末は自主的に前記少なくとも二つの無線アクセス技術のために、接続を確立することであっても良い。又は、前記少なくとも二つの基地局が接続を確立するようにするために、端末は、前記少なくとも二つの無線アクセス技術と対応する少なくとも二つの基地局に確立要求メッセージを送信することであっても良い。言い換えれば、接続の確立プロセスは、端末又は基地局によって実施しても良く、本発明は、それについて限定しない。具体的に、図１の実施例におけるＳ１０４の記載を参照することが可能である。
【０１０４】
また、Ｓ２０３の前に、前記少なくとも二つの無線アクセス技術ために、適切な送信／受信周波数、送信／受信時間、及び送信パワーをそれぞれ選択することをさらに含むことが可能である。例えば、端末又はネットワーク装置によって、該選択プロセスを実施しても良く、このように、複数の無線アクセス技術の間の相互干渉を避けることが可能である。
【０１０５】
本発明の実施例において、サービス伝送において、少なくとも二つの無線アクセス技術は、ダイバーシティモード及び／又はアグリゲーションモードを使用することが可能である。即ちＳ２０３は、ダイバーシティモード及び／又はアグリゲーションモードを用いて、前記少なくとも二つの無線アクセス技術を用いて前記サービスの伝送を行うことが可能である。ここで、前記ダイバーシティモードは、前記少なくとも二つの無線アクセス技術内の異なる無線アクセス技術で同様の内容を伝送することを指しており、前記アグリゲーションモードは、前記少なくとも二つの無線アクセス技術内の異なる無線アクセス技術で異なる内容を伝送することを指している。
【０１０６】
図３におけるＳ２０３は、図１の実施例のＳ１０５の記載を参照することが可能であり、重複を避けるために、ここでそれ以上を説明しない。
【０１０７】
さらに、Ｓ２０３の後に、即ち、サービス伝送が完了してから、前記少なくとも二つの無線アクセス技術のために接続を切断することが可能である。このように、必要としないリソースの占用を避けることができ、それによって、リソースの利用率を高めることが可能である。
【０１０８】
このように、本発明の実施例において、端末によってサービスのために少なくとも二つの無線アクセス技術を選択し、ユーザの手動設定を避けることができ、それによって、複数の無線アクセス技術の性能と便利性を向上させることができる。
【０１０９】
図４は、本発明の他の一つの実施例におけるサービス伝送のための方法のフローチャートである。図４に示されている方法は、Ｓ３０１〜Ｓ３０２を含む。
【０１１０】
Ｓ３０１において、ネットワーク装置は、複数の無線アクセス技術のネットワーク能力を取得する。
【０１１１】
Ｓ３０２において、前記端末が前記ネットワーク能力に基づいてサービスのために少なくとも二つの無線アクセス技術を選択するように、前記ネットワーク装置は、前記複数の無線アクセス技術のネットワーク能力を端末に送信する。
【０１１２】
本発明の実施例において、ネットワーク装置は、端末のために複数の無線アクセス技術のネットワーク能力を提供することが可能であり、このように、端末は、サービスの伝送のために、複数の無線アクセス技術から少なくとも二つの無線アクセス技術を選択することが可能であり、それによって、ユーザの手動的な設定を避けることができ、さらに複数の無線アクセス技術の性能と便利性を向上させることができる。
【０１１３】
選択肢として、Ｓ３０１において、ネットワーク装置は、複数の無線アクセス技術の基地局から、複数の無線アクセス技術のネットワーク能力を取得することができる。ここで、ネットワーク能力は、ピークレート、遅延時間、カバレージ範囲、システムローディング、及び平均スループットのうちの少なくとも一つを含むことが可能である。
【０１１４】
選択肢として、ネットワーク装置は、端末の位置情報などを計算して確定することもできる。
【０１１５】
本発明の実施例において、Ｓ３０１は、上記図１の実施例におけるＳ１０１の記載を参照することが可能であり、Ｓ３０２は、前記図１の実施例におけるＳ１０２の記載を参照することが可能であり、重複を避けるために、ここでそれ以上を説明しない。
【０１１６】
また、ネットワーク装置は、端末の位置情報を前記端末に知らせることが可能であり、このように、端末は、該位置情報に基づいて、端末が位置するネットワーク条件を確定することができる。
【０１１７】
ここで、端末が位置するネットワーク条件の変化は、端末とターゲット装置との間の距離の変化及び／又は端末の移動速度と関係することが可能である。
【０１１８】
ここで、前記ネットワーク条件は、前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、前記端末の前記複数の無線アクセス技術における伝送能力のうちの少なくとも一つを含む。
【０１１９】
図５は本発明の一つの実施例における端末の構成のブロック図である。図５に示されている端末４００は、複数の無線アクセス技術を利用して通信を行うことが可能であり、受信ユニット４０１、選択ユニット４０２及び伝送ユニット４０３を含む。
【０１２０】
受信ユニット４０１は、複数の無線アクセス技術のネットワーク能力を受信するように構成される。
【０１２１】
選択ユニット４０２は、受信ユニット４０１の受信された前記ネットワーク能力に基づいて、前記複数の無線アクセス技術から、前記端末のサービスのために、少なくとも二つの無線アクセス技術を選択するように構成される。
【０１２２】
伝送ユニット４０３は、選択ユニット４０２の選択された前記少なくとも二つの無線アクセス技術を用いて、前記サービスの伝送を行うように構成される。
【０１２３】
このように、本発明の実施例において、端末によってサービスのために少なくとも二つの無線アクセス技術を選択し、ユーザの手動設定を避けることができ、それによって、複数の無線アクセス技術の性能と便利性を向上させることができる。
【０１２４】
また、一つの実施例において、前記複数の無線アクセス技術は、ネットワーク装置より送信されたものであり、受信ユニット４０１は、具体的に、前記ネットワーク装置より送信されたブロードキャストメッセージを受信するように構成され、前記ブロードキャストメッセージは、前記複数の無線アクセス技術のネットワーク能力を含む。又は、受信ユニット４０１は、具体的に、各々の無線アクセス技術の基地局のブロードキャストして送信された、対応する無線アクセス技術のネットワーク能力を受信するように構成される。
【０１２５】
ここで、前記ネットワーク能力は、ピークレート、遅延時間、カバレージ範囲、システムローディング、及び平均スループットのうちの少なくとも一つを含むことが可能である。
【０１２６】
また、他の実施例として、選択ユニット４０２は、具体的に、前記ネットワーク能力、前記サービスのサービス要求、前記端末の特性、及び前記端末が位置するネットワーク条件のうちの少なくとも一つに基づいて、前記サービスのために、少なくとも二つの無線アクセス技術を選択するように構成される。
【０１２７】
また、他の実施例として、前記端末４００が移動状態にある場合、選択ユニット４０２は、具体的に、前記ネットワーク能力、前記サービスのサービス要求、前記端末の特性、前記端末が位置するネットワーク条件、及び前記ネットワーク条件の変化状態のうちの少なくとも一つに基づいて、前記サービスのために、少なくとも二つの無線アクセス技術を選択するように構成される。
【０１２８】
ここで、前記ネットワーク条件は、前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、前記端末の前記複数の無線アクセス技術における伝送能力のうちの少なくとも一つを含むことが可能である。
【０１２９】
ここで、前記サービス要求は、前記サービスのデータ量、前記サービスのサービスタイプ、前記サービスの信頼性要件、前記サービスのリアルタイム性要件、前記サービスのサービス品質要件のうちの少なくとも一つを含むことが可能である。
【０１３０】
ここで、前記端末の特性は、前記端末の中央処理ユニットＣＰＵの占用率、前記端末のメモリーの占用率、前記端末の電池消耗速度、前記端末の電池残量、前記端末の温度、及びユーザ設定のうちの少なくと一つを含むことが可能である。
【０１３１】
また、他の実施例として、選択ユニット４０２は、具体的に、前記複数の無線アクセス技術のパワー消耗の速度を統計し、前記ネットワーク能力と前記パワー消耗の速度に基づいて、前記複数の無線アクセス技術から、前記少なくとも二つの無線アクセス技術を選択するように構成される。ここで、前記パワー消耗の速度は、無線周波数と中間周波数とのパワー消耗の速度、及びデジタル信号処理のパワー消耗の速度を含む。
【０１３２】
また、他の実施例として、伝送ユニット４０３はさらに、前記少なくとも二つの無線アクセス技術のために接続を確立するように構成される。又は、伝送ユニット４０３はさらに、前記少なくとも二つの無線アクセス技術と対応する少なくとも二つの基地局に確立要求メッセージを送信して、前記少なくとも二つの基局が接続を確立するように構成される。
【０１３３】
また、他の実施例において、選択ユニット４０２はさらに、前記少なくとも二つの無線アクセス技術のために、適切な送信／受信周波数、送信／受信時間、及び送信パワーをそれぞれ選択するように構成される。
【０１３４】
また、他の実施例において、伝送ユニット４０３は、具体的に、ダイバーシティモード及び／又はアグリゲーションモードを用いて、前記少なくとも二つの無線アクセス技術を用いて、前記サービスの伝送を行うように構成される。ここで、前記ダイバーシティモードは、前記少なくとも二つの無線アクセス技術内の異なる無線アクセス技術で同様の内容を伝送することを指しており、前記アグリゲーションモードは、前記少なくとも二つの無線アクセス技術内の異なる無線アクセス技術で異なる内容を伝送することを指している。
【０１３５】
また、他の実施例として、端末４００は、前記サービス伝送の完了後に、前記少なくとも二つの無線アクセス技術のために、接続を切断するように構成される切断ユニットをさらに含むことが可能である。
【０１３６】
なお、本発明の実施例において、受信ユニット４０１は、受信機によって実現されても良く、伝送ユニット４０３は、送信機によって実現されても良く、選択ユニット４０２と切断ユニットは、プロセッサによって実現されても良い。図６に示すように、端末５００は、プロセッサ５０１、受信機５０２、送信機５０３及び記憶装置５０４を含むことが可能である。ここで、記憶装置５０４は、プロセッサ５０１に実行されるコードなどを記憶するように用いられることが可能である。
【０１３７】
端末５００内の各コンポーネントはバスシステム５０５によってカップリンブされており、ここでバスシステム５０５は、データバス以外に、電源バス、制御バス及び状態信号バスを含む。
【０１３８】
図５に示されている端末４００又は図６に示されている端末５００は、前記図１〜図４の実施例における端末により実現される各プロセスを実現することが可能であり、重複を避けるために、ここでそれ以上を説明しない。
【０１３９】
図７は、本発明の一つの実施例におけるネットワーク装置の構成のブロック図である。図７に示されているネットワーク装置７００は、取得ユニット７０１と送信ユニット７０２とを含む。
【０１４０】
取得ユニット７０１は、複数の無線アクセス技術のネットワーク能力を取得するように構成される。
【０１４１】
送信ユニット７０２は、前記端末が前記ネットワーク能力に基づいてサービスのために少なくとも二つの無線アクセス技術を選択するように、取得ユニット７０１より取得された前記複数の無線アクセス技術のネットワーク能力を端末に送信するように構成される。
【０１４２】
本発明の実施例において、ネットワーク装置は、端末のために複数の無線アクセス技術のネットワーク能力を提供することが可能であり、このように、端末は、サービスの伝送のために、複数の無線アクセス技術から少なくとも二つの無線アクセス技術を選択することが可能であり、それによって、ユーザの手動的な設定を避けることができ、さらに複数の無線アクセス技術の性能と便利性を向上させることができる。
【０１４３】
選択肢とする一つの実施例において、取得ユニット７０１は、具体的に、前記複数の無線アクセス技術の基地局から、対応する無線アクセス技術のネットワーク能力を取得するように構成される。ここで、前記ネットワーク能力は、ピークレート、遅延時間、カバレージ範囲、システムローディング、及び平均スループットのうちの少なくとも一つを含むことが可能である。
【０１４４】
選択肢とするもう一つの実施例において、送信ユニット７０２は、具体的に、ブロードキャストによって、前記ネットワーク能力を前記端末に送信するように構成される。
【０１４５】
選択肢とするもう一つの実施例において、送信ユニット７０２はさらに、端末が位置情報に基づいて、端末が位置するネットワーク条件を確定するように、前記端末の位置情報を前記端末に送信するように構成される。
【０１４６】
ここで、前記ネットワーク条件は、前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、前記端末の前記複数の無線アクセス技術における伝送能力のうちの少なくとも一つを含むことが可能である。
【０１４７】
なお、本発明の実施例において、取得ユニット７０１は、プロセッサによって実現されても良く、送信ユニット７０２は送信機によって実現されても良い。図８に示すように、ネットワーク装置８００は、プロセッサ８０１、受信機８０２、送信機８０３、及び記憶装置８０４を含むことが可能である。ここで、プロセッサ８０１は、端末のネットワーク条件などを計算するように用いられる。記憶装置８０４は、プロセッサ８０１に実行されるコード等を記憶するように用いられることが可能である。
【０１４８】
ネットワーク装置８００内の各コンポーネントはバスシステム８０５によってカップリンブされており、ここでバスシステム８０５は、データバス以外に、電源バス、制御バス及び状態信号バスを含む。
【０１４９】
図７に示されているネットワーク装置７００、又は図８に示されているネットワーク装置８００は、上記図１〜図４の実施例におけるネットワーク装置により実現される各プロセスを実現することが可能であり、重複を避けるために、ここでそれ以上を説明しない。
【０１５０】
本願に開示されている実施例に説明されている各例示的なユニット及びアルゴリズムのステップを結合し、電子ハードウェア、又はコンピュータソフトウェアと電子ハードウェアの結合を用いて実現することができると、当業者は理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１５１】
当業者は、説明の便利と簡潔上、上記に記載されているシステム、装置及びユニットの具体的な動作については、上記の方法実施例の対応されているフローを参照することができ、ここでそれ以上述べない。
【０１５２】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１５３】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１５４】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１５５】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１５６】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2018519740.tif 000003
【図２】
2018519740.tif 000004
【図３】
2018519740.tif 000005
【図４】
2018519740.tif 000006
【図５】
2018519740.tif 000007
【図６】
2018519740.tif 000008
【図７】
2018519740.tif 000009
【図８】
2018519740.tif 000010
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
サービス伝送方法であって、前記方法は複数の無線アクセス技術を利用し、
端末は、複数の無線アクセス技術のネットワーク能力を受信することと、
前記端末は、前記ネットワーク能力に基づいて、前記複数の無線アクセス技術から、前記端末のサービスのために、少なくとも二つの無線アクセス技術を選択することと、
前記端末は、前記少なくとも二つの無線アクセス技術を用いて前記サービスの伝送を行うことと、
を含むことを特徴とする、前記サービス伝送方法。
【請求項２】
前記複数の無線アクセス技術は、ネットワーク装置により送信されたものであり、
前記複数の無線アクセス技術のネットワーク能力を受信することは、
前記ネットワーク装置により送信されたブロードキャストメッセージを受信することを含み、
前記ブロードキャストメッセージは、前記複数の無線アクセス技術のネットワーク能力を含む、
ことを特徴とする請求項１に記載のサービス伝送方法。
【請求項３】
前記複数の無線アクセス技術のネットワーク能力を受信することは、
各無線アクセス技術の基地局がブロードキャストして送信された、対応する無線アクセス技術のネットワーク能力を受信すること、
を含むことを特徴とする請求項１に記載のサービス伝送方法。
【請求項４】
前記ネットワーク能力に基づいて、前記複数の無線アクセス技術から、前記端末のサービスのために、少なくとも二つの無線アクセス技術を選択することは、
前記ネットワーク能力、前記サービスのサービス要求、前記端末の特性、及び前記端末が位置するネットワーク条件のうちの少なくとも一つに基づいて、前記サービスのために少なくとも二つの無線アクセス技術を選択すること、
を含むことを特徴とする請求項１乃至３のいずれか１項に記載のサービス伝送方法。
【請求項５】
前記端末が移動状態にある場合、前記ネットワーク能力に基づいて、前記複数の無線アクセス技術から前記端末のサービスのために、少なくとも二つの無線アクセス技術を選択することは、
前記ネットワーク能力、前記サービスのサービス要求、前記端末の特性、前記端末が位置するネットワーク条件、及び前記ネットワーク条件の変化状態のうちの少なくとも一つに基づいて、前記サービスために、少なくとも二つの無線アクセス技術を選択すること、  を含むことを特徴とする請求項１乃至３のいずれか１項に記載のサービス伝送方法。
【請求項６】
前記ネットワーク条件は、
前記端末の受信された前記複数の無線アクセス技術の基地局の送信信号の強さと品質、前記端末の備える前記複数の無線アクセス技術の最大送信パワーとアンテナ利得、前記端末の備える前記複数の無線アクセス技術の受信感度、及び前記端末の前記複数の無線アクセス技術における伝送能力のうちの少なくもと一つを含む、
ことを特徴とする請求項４又は５に記載のサービス伝送方法。
【請求項７】
前記サービス要求は
前記サービスのデータ量、前記サービスのサービスタイプ、前記サービスの信頼性要件、前記サービスのリアルタイム性要件のうちの少なくとも一つを含む、
ことを特徴とする請求項４乃至６のいずれか１項に記載のサービス伝送方法。
【請求項８】
前記端末の特性は、
前記端末の中央処理ユニット（ＣＰＵ）の占用率、前記端末のメモリーの占用率、前記端末の電池消耗速度、前記端末の電池残量、前記端末の温度、及びユーザ設定のうちの少なくとも一つを含む、
ことを特徴とする請求項４乃至７のいずれか１項に記載のサービス伝送方法。
【請求項９】
前記ネットワーク能力に基づいて、前記複数の無線アクセス技術から前記端末のサービスのために、少なくとも二つの無線アクセス技術を選択することは、
前記複数の無線アクセス技術のパワー消耗の速度を統計することと、
前記ネットワーク能力と前記パワー消耗の速度に基づいて、前記複数の無線アクセス技術から、前記少なくとも二つの無線アクセス技術を選択することと、
を含み、
前記パワー消耗の速度は、
無線周波数と中間周波数とのパワー消耗の速度、及びデジタル信号処理のパワー消耗の速度を含む、ことを特徴とする請求項１乃至３のいずれか１項に記載のサービス伝送方法。
【請求項１０】
前記少なくとも二つの無線アクセス技術を用いて、前記サービスの伝送を行う前に、
前記少なくとも二つの無線アクセス技術のために、接続を確立すること、
または、
前記少なくとも二つの基地局が接続を確立するように、端末は、前記少なくとも二つの無線アクセス技術と対応する少なくとも二つの基地局に確立要求メッセージを送信すること、
を含むことを特徴とする請求項１乃至９のいずれか１項に記載のサービス伝送方法。
【請求項１１】
前記少なくとも二つの無線アクセス技術を用いて、前記サービスの伝送を行うことは、  ダイバーシティモード及び／又はアグリゲーションモードを用いて、前記少なくとも二つの無線アクセス技術を用いて、前記サービスの伝送を行うことを含み、
前記ダイバーシティモードは、前記少なくとも二つの無線アクセス技術内の異なる無線アクセス技術で同様の内容を伝送することを指しており、前記アグリゲーションモードは、前記少なくとも二つの無線アクセス技術内の異なる無線アクセス技術で異なる内容を伝送することを指している、
ことを特徴とする請求項１乃至１０のいずれか１項に記載のサービス伝送方法。
【請求項１２】
前記少なくとも二つの無線アクセス技術を用いて、前記サービスの伝送を行うことは、
前記端末は、前記少なくとも二つの無線アクセス技術を用いて、前記サービスを受信することを含むことを特徴とする請求項１乃至１１のいずれか１項に記載のサービス伝送方法。
【請求項１３】
サービス伝送のための方法であって、
ネットワーク装置は、複数の無線アクセス技術のネットワーク能力を取得することと、  前記端末が前記ネットワーク能力に基づいてサービスのために少なくとも二つの無線アクセス技術を選択するように、前記ネットワーク装置は、前記複数の無線アクセス技術のネットワーク能力を端末に送信することと、
を含むことを特徴とする前記サービス伝送のための方法。
【請求項１４】
端末であって、
前記端末は、複数の無線アクセス技術を用いて通信を行い、
複数の無線アクセス技術のネットワーク能力を受信するように構成される受信ユニットと、
前記受信ユニットの受信された前記ネットワーク能力に基づいて、前記複数の無線アクセス技術から、前記端末のサービスのために、少なくとも二つの無線アクセス技術を選択するように構成される選択ユニットと、
前記選択ユニットの選択された前記少なくとも二つの無線アクセス技術を用いて、前記サービスの伝送を行うように構成される伝送ユニットと、
を含むことを特徴とする前記端末。
【請求項１５】
ネットワーク装置であって、
複数の無線アクセス技術のネットワーク能力を取得するように構成される取得ユニットと、
前記端末が前記ネットワーク能力に基づいてサービスのために少なくとも二つの無線アクセス技術を選択するように、前記取得ユニットの取得された前記複数の無線アクセス技術のネットワーク能力を端末に送信するように構成される送信ユニットと、
を含むことを特徴とする前記ネットワーク装置。
【国際調査報告】
2018519740.tif 000011
2018519740.tif 000012
2018519740.tif 000013
2018519740.tif 000014